(57)【要約】【課題】  圧電素子の振動の際のエネルギー損失を低減することができる支持部を備えたズームレンズユニットを提供する。【解決手段】  ズームレンズユニット１は、鏡筒３、第２レンズ群７、第３レンズ群９、台座４を有し、第１ガイド軸１１、第２ガイド軸１３が、第２レンズ群７、第３レンズ群９を貫通して設けられている。  鏡筒３には、第１ガイド軸１１、第２ガイド軸１３を支持する第１の支持部８１ａ、８１ｂが設けられている。  第１の支持部８１ａ、８１ｂは表面を円錐状に面取りした薄肉状の形状を有する。  台座４の蓋体６３は、第１ガイド軸１１および第２ガイド軸１３の貫通位置に、第１ガイド軸１１、第２ガイド軸１３を支持する第２の支持部９１ａ、９１ｂが設けられている。  第２の支持部９１ａ、９１ｂは表面を円錐状に面取りした薄肉状の形状を有する。【選択図】      図５
2009128589.tif 000002
【特許請求の範囲】
【請求項１】
少なくとも一つのレンズと、前記レンズを保持するレンズ枠とを備え、かつ、互いに前記レンズの光軸が一致するように設けられ、前記光軸方向に移動可能な複数のレンズ群と、
複数の前記レンズ群の前記レンズ枠を貫通し、かつ前記光軸に平行に設けられ、複数の前記レンズ群の移動方向を前記光軸方向に限定するとともに、複数の前記レンズ群のうち、対応する前記レンズ群を駆動する超音波アクチュエータである複数のガイド軸と、
複数の前記レンズ群および複数の前記ガイド軸の周囲に設けられ、複数の前記レンズ群および前記ガイド軸を収納する鏡筒と、
を有し、
前記鏡筒は、前記ガイド軸を支持する第１の支持部を有し、
前記第１の支持部は、薄肉状の形状を有することを特徴とするズームレンズユニット。
【請求項２】
前記ガイド軸は前記第１の支持部を貫通して設けられ、
前記第１の支持部は、前記ガイド軸が貫通する部分の周囲を円錐状に面取りした薄肉状の形状を有することを特徴とする請求項１記載のズームレンズユニット。
【請求項３】
前記第１の支持部は、板状の形状を有し、
前記第１の支持部は、上面および／または下面を円錐状に面取りした薄肉状の形状を有することを特徴とする請求項２記載のズームレンズユニット。
【請求項４】
前記第１の支持部は、前記円錐の中心軸が、前記ガイド軸が貫通する部分の中心軸と一致するように面取りした薄肉状の形状を有することを特徴とする請求項２記載のズームレンズユニット。
【請求項５】
前記第１の支持部は、複数個の接触部材に分割されていることを特徴とする請求項１記載のズームレンズユニット。
【請求項６】
複数の前記接触部材は、各々が前記ガイド軸と接触する接触部を有し、
前記接触部同士は離間して設けられていることを特徴とする請求項５記載のズームレンズユニット。
【請求項７】
前記第１の支持部を構成する材料は、可撓性を有する材料であることを特徴とする請求項１記載のズームレンズユニット。
【請求項８】
前記第１の支持部を構成する材料は、樹脂であることを特徴とする請求項７記載のズームレンズユニット。
【請求項９】
少なくとも一つのレンズと、前記レンズを保持するレンズ枠とを備え、かつ、互いに前記レンズの光軸が一致するように設けられ、前記光軸方向に移動可能な複数のレンズ群と、
複数の前記レンズ群の前記レンズ枠を貫通し、かつ前記光軸に平行に設けられ、複数の前記レンズ群の移動方向を前記光軸方向に限定するとともに、複数の前記レンズ群のうち、対応する前記レンズ群を駆動する超音波アクチュエータである複数のガイド軸と、
前記ガイド軸を支持する台座と、
を有し、
前記台座は、前記ガイド軸を支持する第２の支持部を有し、
前記第２の支持部は、薄肉状の形状を有することを特徴とするズームレンズユニット。
【請求項１０】
前記ガイド軸は前記第２の支持部を貫通して設けられ、
前記第２の支持部は、前記ガイド軸が貫通する部分の周囲を円錐状に面取りした薄肉状の形状を有することを特徴とする請求項９記載のズームレンズユニット。
【請求項１１】
前記第２の支持部は、板状の形状を有し、
前記第２の支持部は、上面および／または下面を円錐状に面取りした薄肉状の形状を有することを特徴とする請求項１０記載のズームレンズユニット。
【請求項１２】
前記第２の支持部は、前記円錐の中心軸が、前記ガイド軸が貫通する部分の中心軸と一致するように設けられていることを特徴とする請求項１０記載のズームレンズユニット。
【請求項１３】
前記第２の支持部は、複数個の接触部材に分割されていることを特徴とする請求項９記載のズームレンズユニット。
【請求項１４】
複数の前記接触部材は、各々が前記ガイド軸と接触する接触部を有し、
前記接触部同士は離間して設けられていることを特徴とする請求項１３記載のズームレンズユニット。
【請求項１５】
前記第２の支持部を構成する材料は、可撓性を有する材料であることを特徴とする請求項９記載のズームレンズユニット。
【請求項１６】
前記第２の支持部を構成する材料は、樹脂であることを特徴とする請求項１５記載のズームレンズユニット。
【請求項１７】
請求項１〜請求項１６のいずれかに記載のズームレンズユニットを有することを特徴とする撮像装置。
【請求項１８】
請求項１〜請求項１６のいずれかに記載のズームレンズユニットを有することを特徴とするカメラ。
【請求項１９】
請求項１〜請求項１６のいずれかに記載のズームレンズユニットを有することを特徴とする携帯端末装置。
【請求項２０】
請求項１〜請求項１６のいずれかに記載のズームレンズユニットを有することを特徴とする携帯電話。
【発明の詳細な説明】
【技術分野】
【０００１】
本発明は、ズームレンズユニットおよびズームレンズユニットを有する撮像装置、カメラ、携帯端末装置、携帯電話に関する。
【背景技術】
【０００２】
ズームレンズユニットは一定の範囲内でピント位置を変えずに焦点距離を連続的に変えられるレンズユニットであり、カメラ等の撮像装置に広く用いられている。
【０００３】
ズームレンズユニットは通常、複数のレンズと駆動機構を組み合わせた構造を有している。
【０００４】
そして、駆動機構によりレンズを移動させ、レンズ間の距離を変更することにより、焦点距離を変化させ、変倍やフォーカス補正を行っている。
【０００５】
ズームレンズユニットの駆動機構には従来、ステッピングモータ等の電磁式の回転型アクチュエータを用いたものが多かった。
【０００６】
一方、このような構造では、モータやギヤボックスの構造が複雑であり、トルクを低下させずに小型化するのが困難である。
【０００７】
また、電磁式のモータは回転の際に電磁ノイズを発生させるため、発生した電磁ノイズが周囲の電子機器に悪影響を与えるという欠点もある。
【０００８】
そこで近年では、駆動装置として超音波アクチュエータを用いた構造が開発されている。
【０００９】
超音波アクチュエータとは、圧電素子を一定周期で振動させることにより対象物を駆動するアクチュエータであり、ギヤボックスが不要であり、電磁ノイズも発生させないため、注目されている。
【００１０】
例えば非特許文献１のＦｉｇ．８には、超音波アクチュエータ（超小型圧電アクチュエータ）を２群レンズの駆動手段として用い、２群レンズと３群レンズをカムで連結したズームレンズユニットが記載されている。
【００１１】
この場合、２群レンズは超音波アクチュエータにより駆動され、３群レンズはカムによって２群レンズの駆動に連動して駆動される。
【００１２】
一方、非特許文献１のような構造では、カムを用いているため、レンズ群同士の光軸を正確に一致させるのが困難であること、構造が複雑になること、各レンズ群を独自に駆動できないこと等の問題があった。
【００１３】
そこで、本出願人は先に２つのガイド軸兼用の超音波アクチュエータを用い、各レンズ群を独立駆動する構造を提案した（特許文献１）。
【００１４】
【非特許文献１】岡本、吉田、末吉「超小型圧電アクチュエータの開発」、コニカミノルタテクノロジーレポート、コニカミノルタ、２００４年、Ｖｏｌ．１、ｐ．２３−２６
【特許文献１】特願２００７−１５１１９１
【発明の開示】
【発明が解決しようとする課題】
【００１５】
特許文献１のような構造は、レンズ群同士の光軸を正確に一致させることができ、構造が簡素であり、かつ各レンズ群を独自に駆動可能であるという点では有用な構造である。
【００１６】
しかしながら、特許文献１のような構造では、ガイド軸を支持する支持部が必要となるため、圧電素子の振動の際に、支持部を通して振動エネルギーが分散してエネルギー損失が生じ、レンズ群の駆動効率が悪化する恐れがある。
【００１７】
そのため、エネルギー損失を低減するために、支持部の構造を工夫する必要がある。
【００１８】
本発明は、このような問題に鑑みてなされたもので、その目的は、圧電素子の振動の際のエネルギー損失を低減することができる支持部を備えたズームレンズユニットを提供することにある。
【課題を解決するための手段】
【００１９】
前述した目的を達成するために、第１の発明は、少なくとも一つのレンズと、前記レンズを保持するレンズ枠とを備え、かつ、互いに前記レンズの光軸が一致するように設けられ、前記光軸方向に移動可能な複数のレンズ群と、複数の前記レンズ群の前記レンズ枠を貫通し、かつ前記光軸に平行に設けられ、複数の前記レンズ群の移動方向を前記光軸方向に限定するとともに、複数の前記レンズ群のうち、対応する前記レンズ群を駆動する超音波アクチュエータである複数のガイド軸と、複数の前記レンズ群および複数の前記ガイド軸の周囲に設けられ、複数の前記レンズ群および前記ガイド軸を収納する鏡筒と、を有し、前記鏡筒は、前記ガイド軸を支持する第１の支持部を有し、前記第１の支持部は、薄肉状の形状を有することを特徴とするズームレンズユニットである。
【００２０】
前記ガイド軸は前記第１の支持部を貫通して設けられ、前記第１の支持部は、前記ガイド軸の貫通部分の周囲を円錐状に面取りした薄肉状の形状を有する。
【００２１】
前記第１の支持部は、板状の形状を有し、前記第１の支持部は、上面および／または下面を円錐状に面取りした薄肉状の形状を有することを特徴とする。
【００２２】
前記第１の支持部は、前記円錐の中心軸が、前記ガイド軸が貫通する部分の中心軸と一致するように面取りした薄肉状の形状を有する。
【００２３】
前記第１の支持部は、複数個の接触部材に分割されていてもよく、この場合、複数の前記接触部材は、各々が前記ガイド軸と接触する接触部を有し、前記接触部同士は離間して設けられている。
【００２４】
前記第１の支持部を構成する材料は、可撓性を有する材料であってもよく、例えば樹脂である。
【００２５】
第２の発明は、少なくとも一つのレンズと、前記レンズを保持するレンズ枠とを備え、かつ、互いに前記レンズの光軸が一致するように設けられ、前記光軸方向に移動可能な複数のレンズ群と、複数の前記レンズ群の前記レンズ枠を貫通し、かつ前記光軸に平行に設けられ、複数の前記レンズ群の移動方向を前記光軸方向に限定するとともに、複数の前記レンズ群のうち、対応する前記レンズ群を駆動する超音波アクチュエータである複数のガイド軸と、前記ガイド軸を支持する台座と、を有し、前記台座は、前記ガイド軸を支持する第２の支持部を有し、前記第２の支持部は、薄肉状の形状を有することを特徴とするズームレンズユニットである。
【００２６】
前記ガイド軸は前記第２の支持部を貫通して設けられ、前記第２の支持部は、前記ガイド軸が貫通する部分の周囲を円錐状に面取りした薄肉状の形状を有する。
【００２７】
前記第２の支持部は、板状の形状を有し、前記第２の支持部は、上面および／または下面を円錐状に面取りした薄肉状の形状を有する。
【００２８】
前記第２の支持部は、前記円錐の中心軸が、前記ガイド軸が貫通する部分の中心軸と一致するように設けられている。
【００２９】
前記第２の支持部は、複数個の接触部材に分割されていてもよく、この場合、複数の前記接触部材は、各々が前記ガイド軸と接触する接触部を有し、前記接触部同士は離間して設けられている。
【００３０】
前記第２の支持部を構成する材料は、可撓性を有する材料であってもよく、例えば樹脂である。
【００３１】
第３の発明は、第１の発明または第２の発明記載のズームレンズユニットを有することを特徴とする撮像装置である。
【００３２】
第４の発明は、第１の発明または第２の発明記載のズームレンズユニットを有することを特徴とするカメラである。
【００３３】
第５の発明は、第１の発明または第２の発明記載のズームレンズユニットを有することを特徴とする携帯端末装置である。
【００３４】
第６の発明は、第１の発明または第２の発明記載のズームレンズユニットを有することを特徴とする携帯電話である。
【００３５】
第１の発明〜第６の発明では、ズームレンズユニットの鏡筒および／または台座がガイド軸を支持する薄肉状の支持部を有している。
【００３６】
そのため、従来よりも振動時の摩擦抵抗が低減され、圧電素子の振動の際のエネルギー損失を低減することができる。
【発明の効果】
【００３７】
本発明によれば、圧電素子の振動の際のエネルギー損失を低減することができる支持部を備えたズームレンズユニットを提供することができる。
【発明を実施するための最良の形態】
【００３８】
以下、図面に基づいて本発明に好適な実施形態を詳細に説明する。
【００３９】
まず、図１〜図４を参照して、本実施形態に係るズームレンズユニット１の概略構成を説明する。
【００４０】
ここでは、ズームレンズユニット１として、携帯電話等（のカメラ）に用いられるズームレンズユニットが図示されている。
【００４１】
図１〜図４に示すように、ズームレンズユニット１は、鏡筒３（第１レンズ群）、第２レンズ群７、第３レンズ群９、第１ガイド軸１１、第２ガイド軸１３、および台座４（第４レンズ群）を有している。
【００４２】
図１〜図４に示すように、ズームレンズユニット１は、第１レンズ２３を保持し、第１ガイド軸１１と第２ガイド軸１３を支持するとともに、第２レンズ群７、第３レンズ群９、および第１ガイド軸１１と第２ガイド軸１３の一部を収納する鏡筒３（第１レンズ群）を有している。
【００４３】
第１レンズ２３に隣接するようにして、変倍用の第２レンズ３１および第３レンズ３２（図示せず）を保持する第２レンズ群７が設けられている。
【００４４】
鏡筒３（第１レンズ群）と第２レンズ群７とは、互いに第１レンズ２３と第２レンズ３１および第３レンズ３２の光軸２が一致するように設けられている。
【００４５】
第２レンズ群７は光軸２と平行な向き（図２のＢ１、Ｂ２の向き）に移動可能であり、移動により、ズームレンズユニット１の倍率が変更される。
【００４６】
また、ズームレンズユニット１は、フォーカス補正用の第４レンズ４１を保持する第３レンズ群９を有している。
【００４７】
第３レンズ群９は、第２レンズ群７に隣接し、かつ第２レンズ群７を挟んで鏡筒３（第１レンズ群）の上面２１ａと反対側の位置に設けられている。
【００４８】
また第３レンズ群９は、第４レンズ４１の光軸が、第１レンズ２３、第２レンズ３１および第３レンズ３２の光軸２と一致するように設けられている。
【００４９】
第３レンズ群９は光軸２と平行な向き（図２のＢ１、Ｂ２の向き）に移動可能であり、移動により、ズームレンズユニット１のフォーカスが補正される。
【００５０】
さらに、第２レンズ群７と第３レンズ群９の移動を光軸２と平行な向きに制限し、かつ第２レンズ群７を駆動する第１ガイド軸１１が、第２レンズ群７、第３レンズ群９を貫通して設けられている。
【００５１】
なお、詳細は後述するが、第１ガイド軸１１は超音波アクチュエータである。
【００５２】
また、第２レンズ群７と第３レンズ群９の移動を光軸２と平行な向きに制限し、かつ第３レンズ群９を駆動する第２ガイド軸１３が、第２レンズ群７、第３レンズ群９を貫通して設けられている。
【００５３】
なお、詳細は後述するが、第２ガイド軸１３は超音波アクチュエータである。
【００５４】
第１ガイド軸１１および第２ガイド軸１３の端部には、第５レンズ７１を有し、第１ガイド軸１１および第２ガイド軸１３を支持する板状の台座４（第４レンズ群）が設けられている。
【００５５】
台座４（第４レンズ群）は第５レンズ７１の光軸が、第１レンズ２３、第２レンズ３１、第３レンズ３２および第４レンズ４１の光軸２と一致するように設けられている。
【００５６】
なお台座４（第４レンズ群）は、第３レンズ群９に隣接し、かつ第３レンズ群９を挟んで第２レンズ群７とは反対側の位置に設けられている。
【００５７】
台座４（第４レンズ群）は鏡筒３（第１レンズ群）と連結され、台座４と鏡筒３によって内部に形成された空間に第２レンズ群７、第３レンズ群９、および、第１ガイド軸１１と第２ガイド軸１３の一部が収納されている。
【００５８】
次に、ズームレンズユニット１を構成する部材のうち、鏡筒３（第１レンズ群）、第２レンズ群７、第３レンズ群９、第１ガイド軸１１、第２ガイド軸１３および台座４（第４レンズ群）の構造について図２〜図５を参照して詳細に説明する。
【００５９】
まず、鏡筒３（第１レンズ群）の構造について図２を参照して説明する。
【００６０】
図２に示すように、鏡筒３（第１レンズ群）は、底面が開放された筒状の第１レンズ枠２１を有している。
【００６１】
第１レンズ枠２１の上面２１ａの中心部には、負の焦点距離を持つレンズ（凹レンズ）である第１レンズ２３が設けられている。
【００６２】
第１レンズ枠２１の上面２１ａの第１レンズ２３の周囲には、第１ガイド軸１１および第２ガイド軸１３を支持する第１の支持部８１ａ、８１ｂが設けられている。
【００６３】
第１の支持部８１ａ、８１ｂの第１ガイド軸１１および第２ガイド軸１３が貫通する部分には、第１ガイド軸１１が挿入される貫通孔２５および第２ガイド軸１３が挿入される貫通孔２７が設けられている。
【００６４】
また、第１レンズ枠２１の開放面の周囲には台座４と連結されるフランジ３ａが設けられ、フランジ３ａには、後述するネジ８ａ、８ｂ、８ｃ、８ｄが挿入される貫通孔６ａ、６ｂ、６ｃ、６ｄ（図示せず）が設けられている。
【００６５】
ここで、第１の支持部８１ａの構造について、図４および図５を参照してさらに詳細に説明する。
【００６６】
図４および図５に示すように、第１の支持部８１ａは板状の形状を有しており、表面としての上面８３ａおよび下面８３ｂの、第１ガイド軸１１および第２ガイド軸１３が貫通する部分を円錐状に面取りした薄肉状の形状を有している。
【００６７】
詳細は後述するが、薄肉状の形状とすることにより、第１の支持部８１ａは第１ガイド軸１１との接触面積が従来よりも小さくなる。
【００６８】
そのため、第１ガイド軸１１の振動時の摩擦抵抗が低減され、振動の際のエネルギー損失を低減することができる。
【００６９】
また、薄肉状の形状とすることにより、第１の支持部８１ａが、可撓性を有するフレキシブル構造となる。
【００７０】
そのため、振動時に第１の支持部８１ａが振動に追従して弾性変形することにより、第１ガイド軸１１の振動の際のエネルギー損失を低減することができる。
【００７１】
第１の支持部８１ｂの構造も第１の支持部８１ａの構造と同様であり、上面と下面は、円錐状に面取りした薄肉状の形状を有している。
【００７２】
なお、第１の支持部８１ａ、８１ｂを構成する材料自体を、可撓性を有する材料で構成するのがさらに望ましい。このような材料としては、例えば樹脂が挙げられる。
【００７３】
また、図５に示すように、第１の支持部８１ａは、上面８３ａの面取り形状である円錐の中心軸８４が、貫通孔２５の中心軸２６（図２参照）と一致するように設けられている。
【００７４】
また、下面８３ｂの面取り形状である円錐の図示しない中心軸も、貫通孔２５の中心軸２６（図２参照）と一致するように設けられている。
【００７５】
このような構造とすることにより、第１ガイド軸１１と第１の支持部８１ａの接触部分の面積を均一にすることができる。なお、下面８３ｂも上面８３ａと同様であり、円錐の図示しない中心軸が、貫通孔２５の中心軸２６（図２参照）と一致するように設けられている。
【００７６】
第１の支持部８１ｂの構造も第１の支持部８１ａの構造と同様であり、図２に示す上面８８ａの面取り形状である円錐の図示しない中心軸が、図２に示す貫通孔２７の中心軸２８と一致するように設けられている。
【００７７】
また、下面８８ｂ（図示せず）の面取り形状である円錐の図示しない中心軸も、図２に示す貫通孔２７の中心軸２８と一致するように設けられている。
【００７８】
なお、図４では、第１の支持部８１ａは上面８３ａおよび下面８３ｂの両面を円錐状に面取りした薄肉状の形状を有する構造となっているが、片面のみを円錐状に面取りした薄肉状の形状を有する構造であってもよい。第１の支持部８１ｂも同様である。
【００７９】
次に、第２レンズ群７の構造について図３を参照して説明する。
【００８０】
図３に示すように、第２レンズ群７は、板状の第２レンズ枠２９を有している。
【００８１】
第２レンズ枠２９の中心部には、正の焦点距離を持つレンズ（凸レンズ）である変倍用の第２レンズ３１および第３レンズ３２（図示せず）が設けられている。
【００８２】
第２レンズ枠２９の外周近傍には、第１ガイド軸１１が貫通する部分に、第１ガイド軸１１に摩擦保持される移動子３５が設けられている。
【００８３】
移動子３５には第１ガイド軸１１が挿入される貫通孔３７が設けられている。貫通孔３７は、貫通孔２５と中心軸が一致するように設けられている。
【００８４】
なお、貫通孔３７の径は、後述する第１ガイド軸１１の軸４９の径と略等しいため、移動子３５は第１ガイド軸１１に摩擦保持される。
【００８５】
第２レンズ枠２９の外周近傍にはさらに、第２ガイド軸１３が貫通する部分に貫通孔３３が設けられている。貫通孔３３は、貫通孔２７と中心軸が一致するように設けられている。
【００８６】
なお、貫通孔３３の径は、後述する第２ガイド軸１３の軸５５の径よりも大きいため、第２ガイド軸１３と第２レンズ群７（第２レンズ枠２９）は互いに移動を拘束されない。
【００８７】
次に、第３レンズ群９の構造について図３を参照して説明する。
【００８８】
図３に示すように第３レンズ群９は、板状の第３レンズ枠３９を有している。
【００８９】
第３レンズ枠３９の中心部には、負の焦点距離を持つレンズ（凹レンズ）であるフォーカス補正用の第４レンズ４１が設けられている。
【００９０】
第３レンズ枠３９の外周近傍には、第１ガイド軸１１が貫通する部分に、貫通孔４３が設けられている。貫通孔４３は、貫通孔２５、貫通孔３７と中心軸が一致するように設けられている。
【００９１】
なお、貫通孔４３の径は、後述する第１ガイド軸１１の軸４９の径よりも大きいため、第１ガイド軸１１と第３レンズ群９（第３レンズ枠３９）は互いに移動を拘束されない。
【００９２】
第３レンズ枠３９の外周近傍にはさらに、第２ガイド軸１３が貫通する部分に、第２ガイド軸１３に摩擦保持される移動子４５が設けられている。
【００９３】
移動子４５には第２ガイド軸１３が挿入される貫通孔４７が設けられている。貫通孔４７は、貫通孔２７、貫通孔３３と中心軸が一致するように設けられている。
【００９４】
なお、貫通孔４７の径は、後述する第２ガイド軸１３の軸５５の径と略等しいため、移動子４５は第２ガイド軸１３に摩擦保持される。
【００９５】
次に、第１ガイド軸１１および第２ガイド軸１３の構造について図３を参照して説明する。
【００９６】
図３に示すように、第１ガイド軸１１および第２ガイド軸１３はそれぞれ棒状の軸４９、５５を有している。
【００９７】
軸４９、５５の一端には、電圧を負荷すると反る円盤状の圧電素子５１、５７がそれぞれ設けられており、圧電素子５１、５７には図示しない電源回路が接続されている。
【００９８】
なお、詳細は後述するが、圧電素子５１、５７は図示しない電源回路から電圧の供給を受けて反ることにより振動し、第２レンズ群７、第３レンズ群９を移動させる。
【００９９】
軸４９は貫通孔４３を貫通し、さらに貫通孔３７を貫通して第２レンズ群７を摩擦保持している。なお、軸４９は貫通孔３７に圧入される。
【０１００】
さらに軸４９の端部のうち、圧電素子５１が設けられた端部とは別の端部が貫通孔２５に挿入され、支持されている。
【０１０１】
また、軸５５は貫通孔４７を貫通して第３レンズ群９を摩擦保持しており、また貫通孔３３を貫通している。なお、軸５５は貫通孔４７に圧入される。
【０１０２】
さらに軸５５の端部のうち、圧電素子５７が設けられた端部とは別の端部が貫通孔２７に挿入されて、支持されている。
【０１０３】
また、圧電素子５１、５７は後述する台座４（第４レンズ群）の圧電素子収納用凹部７０ａ、７０ｂに収納され、軸４９、５５は貫通孔６７ａ、６７ｂに挿入され、支持されている。
【０１０４】
次に、台座４（第４レンズ群）の構造について図３を参照して説明する。
【０１０５】
図３に示すように台座４は、本体６１、蓋体６３を有している。
【０１０６】
本体６１は板状の形状を有しており、中心部に正の焦点距離を持つレンズ（凸レンズ）である第５レンズ７１が設けられている。
【０１０７】
本体６１の表面の外周には、台座４と鏡筒３を連結するための貫通孔７７ａ、７７ｂ、７７ｃ、７７ｄが設けられている。
【０１０８】
貫通孔７７ａ、７７ｂ、７７ｃ、７７ｄは鏡筒３の貫通孔６ａ、６ｂ、６ｃ、６ｄとそれぞれ中心軸が一致するように設けられている。
【０１０９】
そのため、ネジ８ａ、８ｂ、８ｃ、８ｄをそれぞれ貫通孔７７ａ、７７ｂ、７７ｃ、７７ｄおよび貫通孔６ａ、６ｂ、６ｃ、６ｄに挿入して鏡筒３のフランジ３ａと本体６１を締結することにより、鏡筒３が台座４（本体６１）に固定される。
【０１１０】
また、本体６１の表面には、第５レンズ７１の周囲を囲むようにして、蓋体６３を収納するための環状の蓋体収納用凹部６８が設けられている。
【０１１１】
蓋体収納用凹部６８の底面には、圧電素子５１、５７を収納するための円盤状の圧電素子収納用凹部７０ａ、７０ｂが設けられている（詳細は後述）。
【０１１２】
圧電素子収納用凹部７０ａ、７０ｂは、圧電素子５１、５７と対応した形状を有し、中心軸がそれぞれ、軸４９、５５と一致するように設けられている。
【０１１３】
蓋体６３は蓋体収納用凹部６８の形状に対応した形状を有しており、蓋体収納用凹部６８内に着脱可能に設けられている。
【０１１４】
蓋体６３は中心部に、第５レンズ７１の形状に対応した形状を有する貫通孔６５を有している。
【０１１５】
蓋体６３の外周近傍には、さらに、軸４９、５５が貫通する位置に、軸４９、５５を支持するための第２の支持部９１ａ、９１ｂが設けられている。
【０１１６】
ここで、第２の支持部９１ａの構造について、図４および図５を参照して、さらに詳細に説明する。
【０１１７】
図４および図５に示すように、第２の支持部９１ａは板状の形状を有しており、表面としての上面９３ａの、第１ガイド軸１１が貫通する部分を円錐状に面取りした薄肉状の形状を有している。
【０１１８】
詳細は後述するが、薄肉状の形状とすることにより、第２の支持部９１ａは第１ガイド軸１１との接触面積が従来よりも小さくなる。
【０１１９】
そのため、振動時の摩擦抵抗が低減され、圧電素子５１の振動の際のエネルギー損失を低減することができる。
【０１２０】
また、薄肉状の形状とすることにより、第２の支持部９１ａが可撓性を有するフレキシブル構造となる。
【０１２１】
そのため、振動時に第２の支持部９１ａが振動に追従して弾性変形することにより、圧電素子５１の振動の際のエネルギー損失を低減することができる。
【０１２２】
第２の支持部９１ｂの構造も第２の支持部９１ａの構造と同様であり、上面９３ｂの、第２ガイド軸１３が貫通する部分は、円錐状に面取りした薄肉状の形状を有している。
【０１２３】
なお、第２の支持部９１ａ、９１ｂを構成する材料自体を可撓性を有する材料で構成するのがさらに望ましい。このような材料としては、例えば樹脂が挙げられる。
【０１２４】
また、図５に示すように、第２の支持部９１ａは、上面９３ａの面取り形状である円錐の中心軸９４が、貫通孔６７ａの中心軸６８ａ（図３参照）と一致するように設けられている。
【０１２５】
このような構造とすることにより、第１ガイド軸１１と第２の支持部９１ａの接触部分の面積を均一にすることができる。
【０１２６】
第２の支持部９１ｂの構造も第２の支持部９１ａの構造と同様であり、図３に示す上面９３ｂの面取り形状である円錐の図示しない中心軸が、図３に示す貫通孔６７ｂの中心軸６８ｂと一致するように設けられている。
【０１２７】
なお、貫通孔６７ａ、６７ｂは軸４９、５５と中心軸が一致するように設けられている。
【０１２８】
即ち、台座４は、蓋体６３を蓋体収納用凹部６８に収納すると、台座４の内部に圧電素子収納用凹部７０ａ、７０ｂが空間として存在し、かつ、貫通孔６７ａ、６７ｂが圧電素子収納用凹部７０ａ、７０ｂから外部に貫通するように設けられる構造となる。
【０１２９】
第１ガイド軸１１、第２ガイド軸１３は、圧電素子５１、５７を圧電素子収納用凹部７０ａ、７０ｂ内に収納し、さらに蓋体６３を蓋体収納用凹部６８に挿入して、軸４９、５５を蓋体６３の貫通孔６７ａ、６７ｂに挿入して支持することにより、台座４内に収納される。
【０１３０】
なお、図４では、第２の支持部９１ａは上面９３ａのみを円錐状に面取りした薄肉状の形状を有する構造となっているが、下面のみを円錐状に面取りした薄肉状の形状を有する構造、あるいは両面を円錐状に面取りした薄肉状の形状を有する構造であってもよい。
【０１３１】
第２の支持部９１ｂも同様である。
【０１３２】
次に、図５を参照して、第２レンズ群７および第３レンズ群９の移動の原理および制御方法について簡単に説明する。
【０１３３】
ここでは第２レンズ群７を図５のＢ１の向きに移動させる場合を例にして説明するが、第３レンズ群９を移動させる場合も同様であり、説明を省略する。
【０１３４】
第２レンズ群７（第２レンズ枠２９）を図５のＢ１の向きにを移動させたい場合は、まず、圧電素子５１が図５のＢ１の向きに反るように圧電素子５１に電圧を負荷する。
【０１３５】
ここで、圧電素子５１がＢ１の向きに反る速度は、移動子３５が軸４９に対して滑らない速度とする。
【０１３６】
圧電素子５１がＢ１の向きに反ると、軸４９は圧電素子５１と一体になってＢ１の向きに所定の長さだけ移動し、移動子３５も軸４９と一体となって所定の長さだけ移動する。
【０１３７】
次に、圧電素子５１がＢ１の向きに反った状態で圧電素子５１に負荷する電圧の正負を逆転し、移動子３５が軸４９に対して滑る速度で圧電素子５１をＢ２の向きに反らせる。
【０１３８】
圧電素子５１がＢ２の向きに反ると、軸４９は圧電素子５１と一体となって、Ｂ２の向きに移動するが、移動子３５は軸４９に対して滑る。
【０１３９】
滑った移動子３５は慣性により移動せず、圧電素子５１がＢ１の向きに反った状態での位置と同じ位置にとどまる。
【０１４０】
以後は「移動子３５が滑らない速度で圧電素子５１をＢ１の向きに反らせる」→「移動子３５が滑る速度で圧電素子５１をＢ２の向きに反らせる」という工程を繰り返せば、移動子３５は逐次Ｂ１の向きに移動し、第２レンズ枠２９（第２レンズ群７）は移動子３５と一体となってＢ１の向きに移動する。
【０１４１】
即ち、移動子３５を一定周期で振動させると、移動子３５はＢ１の向きに移動し、第２レンズ枠２９（第２レンズ群７）は移動子３５と一体となってＢ１の向きに移動する。
【０１４２】
なお、第２レンズ群７をＢ２の向きに移動させたい場合は、「移動子３５が滑らない速度で圧電素子５１をＢ２の向きに反らせる」→「移動子３５が滑る速度で圧電素子５１をＢ１の向きに反らせる」という工程を繰り返して圧電素子５１を振動させる。
【０１４３】
ここで、圧電素子５１を振動させると、第１の支持部８１ａおよび第２の支持部９１ａと軸４９との摩擦により振動エネルギーが分散し、振動エネルギーの損失が生じる。
【０１４４】
しかし、第１の支持部８１ａおよび第２の支持部９１ａは、表面における、第１ガイド軸１１、第２ガイド軸１３が貫通する部分の周囲を円錐状に面取りした薄肉状の形状を有しており、第１ガイド軸１１との接触面積が従来よりも小さくなる。
【０１４５】
そのため、振動時の摩擦抵抗が低減され、圧電素子５１の振動の際のエネルギー損失を低減することができる。
【０１４６】
また、第１の支持部８１ａおよび第２の支持部９１ａは薄肉状の形状であるため、可撓性を有するフレキシブル構造である。
【０１４７】
そのため、振動時に第１の支持部８１ａが振動に追従して弾性変形することにより、圧電素子５１の振動の際のエネルギー損失を低減することができる。
【０１４８】
なお、圧電素子５７を振動させて第３レンズ群９を移動させる場合も同様である。
【０１４９】
このように、第１の実施形態によれば、ズームレンズユニット１の鏡筒３および台座４は第１の支持部８１ａ、８１ｂおよび第２の支持部９１ａ、９１ｂを有し、第１の支持部８１ａ、８１ｂおよび第２の支持部９１ａ、９１ｂは、表面における、第１ガイド軸１１、第２ガイド軸１３が貫通する部分の周囲を円錐状に面取りした薄肉状の形状を有している。
【０１５０】
そのため、第１ガイド軸１１との接触面積が従来よりも小さくなることにより、振動時の摩擦抵抗が低減され、圧電素子５１、５７の振動の際のエネルギー損失を低減することができる。
【０１５１】
また、第１の実施形態によれば、第１の支持部８１ａ、８１ｂおよび第２の支持部９１ａ、９１ｂは薄肉状の形状であるため、可撓性を有するフレキシブル構造である。
【０１５２】
そのため、振動時に第１の支持部８１ａ、８１ｂおよび第２の支持部９１ａ、９１ｂが振動に追従して弾性変形することにより、圧電素子５１、５７の振動の際のエネルギー損失を低減することができる。
【０１５３】
さらに、第１の実施形態によれば、第１の支持部８１ａ、８１ｂおよび第２の支持部９１ａ、９１ｂは可撓性を有する材料で構成されている。
【０１５４】
そのため、振動時に振動に追従して弾性変形することにより、圧電素子５１、５７の振動の際のエネルギー損失を低減することができる。
【０１５５】
次に、第２の実施形態に係るズームレンズユニット１ａの構造について、図６を参照して説明する。
【０１５６】
第２の実施形態に係るズームレンズユニット１ａは、第１の実施形態において、第１の支持部１０１ａおよび第２の支持部１１１ａを、複数の接触部材１０３に分割した構造としたものである。
【０１５７】
なお、第２の実施形態において、第１の実施形態と同様の機能を果たす要素については同一の番号を付し、説明を省略する。
【０１５８】
図６に示すように、ズームレンズユニット１ａの鏡筒３は第１の支持部１０１ａを有しているが、第１の支持部１０１ａは複数の接触部材１０３に分割されている。
【０１５９】
複数の接触部材１０３は各々が、軸４９と接触する接触部１０５を有しているが、接触部１０５同士は離間して設けられている。
【０１６０】
そのため、第１の支持部１０１ａは、複数のスリット１０７が、軸４９が貫通する部分の中心から放射状に設けられた形状となっている。
【０１６１】
このような形状とすることにより、軸４９と第１の支持部１０１ａの接触面積が、第１の実施形態と比べてさらに減少する。
【０１６２】
そのため、振動時の摩擦抵抗が低減され、圧電素子５１の振動の際のエネルギー損失をさらに低減することができる。
【０１６３】
一方、第２の支持部１１１ａも第１の支持部１０１ａと同様に複数の接触部材１１３に分割されている。
【０１６４】
複数の接触部材１１３は各々が、軸４９と接触する接触部１１５を有しているが、接触部１１５同士は離間して設けられている。
【０１６５】
そのため、第２の支持部１１１ａは、複数のスリット１１７が、軸４９が貫通する部分の中心から放射状に設けられた形状となっている。
【０１６６】
このような形状とすることにより、軸４９と第２の支持部１１１ａの接触面積が、第１の実施形態と比べてさらに減少する。
【０１６７】
そのため、振動時の摩擦抵抗が低減され、圧電素子５１の振動の際のエネルギー損失をさらに低減することができる。
【０１６８】
なお、軸５５を支持する第１の支持部１０１ｂ（図示せず）および第２の支持部１１１ｂ（図示せず）の構造は、第１の支持部１０１ａおよび第２の支持部１１１ａの構造と同様であるため、説明を省略する。
【０１６９】
このように、第２の実施形態によれば、ズームレンズユニット１ａの鏡筒３および台座４は第１の支持部１０１ａ、１０１ｂおよび第２の支持部１１１ａ、１１１ｂを有している。
【０１７０】
従って、第１の実施形態と同様の効果を奏する。
【０１７１】
また、第２の実施形態によれば、第１の支持部１０１ａ、１０１ｂおよび第２の支持部１１１ｂ、１１１ｂは複数の接触部材に分割され、接触部材同士の接触部は離間して設けられている。
【０１７２】
そのため、軸と支持部の接触面積が、第１の実施形態と比べてさらに減少し、振動時の摩擦抵抗が低減され、圧電素子の振動の際のエネルギー損失をさらに低減することができる。
【産業上の利用可能性】
【０１７３】
上記した実施形態では、本発明を携帯電話等のカメラに適用した場合について説明したが、本発明は、何等、これに限定されることなく、例えば、ズームレンズユニット１を必要とする撮像装置、カメラ、携帯端末装置等に用いることができる。
【図面の簡単な説明】
【０１７４】
【図１】ズームレンズユニット１を示す斜視図である。
【図２】図１の分解斜視図である。
【図３】図１の分解斜視図である。
【図４】図１のＡ−Ａ断面図を図１のＣ方向から見た図であって、第２レンズ群７は斜視図で表し、第３レンズ群９は記載を省略している。
【図５】図４のＤ方向矢視図であって、移動子３５は断面図で示している。
【図６】ズームレンズユニット１ａの軸４９の周囲を示す斜視図であり、断面はハッチングおよび点描で示している。
【符号の説明】
【０１７５】
１…………ズームレンズユニット
２…………光軸
３…………鏡筒（第１レンズ群）
４…………台座（第４レンズ群）
７…………第２レンズ群
９…………第３レンズ群
１１………第１ガイド軸
１３………第２ガイド軸
２１………第１レンズ枠
２１ａ……上面
２３………第１レンズ
２５………貫通孔
２７………貫通孔
２９………第２レンズ枠
３１………第２レンズ
３２………第３レンズ（図示せず）
３３………貫通孔
３５………移動子
３７………貫通孔
３９………第３レンズ枠
４１………第４レンズ
４３………貫通孔
４５………移動子
４７………貫通孔
４９………軸
５１………圧電素子
５５………軸
５７………圧電素子
７１………第５レンズ
８１ａ……第１の支持部
８３ａ……上面
９１ａ……第２の支持部
９３ａ……上面
【図１】
2009128589.tif 000003
【図２】
2009128589.tif 000004
【図３】
2009128589.tif 000005
【図４】
2009128589.tif 000006
【図５】
2009128589.tif 000007
【図６】
2009128589.tif 000008